(57)【特許請求の範囲】
【請求項１】
空気の除湿又は加湿を行う調湿部（12）を備え、
室外から取り込んだ室外空気（OA）を上記調湿部（12）において除湿又は加湿して浴室（R5）を含む複数の室内空間（R1〜R5）へ供給する一方、該複数の室内空間（R1〜R5）から取り込んだ室内空気（RA）を室外へ排出することによって上記複数の室内空間（R1〜R5）の空気の湿度を目標湿度（Rt）に調節する調湿装置であって、
上記室外空気（OA）の湿度の実測値（Ro）と上記室内空気（RA）の湿度の実測値（Rr）と上記目標湿度（Rt）とに基づいて上記調湿部（12）の必要能力を演算し、該調湿部（12）の能力が演算された必要能力となるように該調湿部（12）を制御する通常制御と、
上記浴室（R5）の使用を示す所定の条件が成立する間、上記通常制御に代わって、上記室外空気（OA）の湿度の実測値（Ro）と上記浴室（R5）以外の室内空間（R1〜R4）の空気の湿度に対応する所定湿度（Rr-f）と上記目標湿度（Rt）とに基づいて上記調湿部（12）の必要能力を演算し、該調湿部（12）の能力が演算された必要能力となるように該調湿部（12）を制御する特殊制御とを実行する制御部（100）を備えている
ことを特徴とする調湿装置。
【請求項２】
請求項１において、
上記所定湿度は、上記所定の条件の成立直前に上記通常制御において演算に用いた上記室内空気（RA）の湿度の実測値（Rr）である
ことを特徴とする調湿装置。
【請求項３】
請求項１において、
上記所定湿度は、予め設定された設定値である
ことを特徴とする調湿装置。
【請求項４】
空気の除湿又は加湿を行う調湿部（12）を備え、
室外から取り込んだ室外空気（OA）を上記調湿部（12）において除湿又は加湿して浴室（R5）を含む複数の室内空間（R1〜R5）へ供給する一方、該複数の室内空間（R1〜R5）から取り込んだ室内空気（RA）を室外へ排出することによって上記複数の室内空間（R1〜R5）の空気の湿度を目標湿度（Rt）に調節する調湿装置であって、
上記室外空気（OA）の湿度の実測値（Ro）と上記室内空気（RA）の湿度の実測値（Rr）と上記目標湿度（Rt）とに基づいて上記調湿部（12）の必要能力を演算し、該調湿部（12）の能力が演算された必要能力となるように該調湿部（12）を制御する通常制御と、
上記浴室（R5）の使用を示す所定の条件が成立する間、上記通常制御に代わって、上記室外空気（OA）の湿度の実測値（Ro）と上記室内空気（RA）の湿度の実測値（Rr）を該実測値よりも低くなるように補正した値（Rr-c）と上記目標湿度（Rt）とに基づいて上記調湿部（12）の必要能力を演算し、該調湿部（12）の能力が演算された必要能力となるように該調湿部（12）を制御する特殊制御とを実行する制御部（100）を備えている
ことを特徴とする調湿装置。
【請求項５】
空気の除湿又は加湿を行う調湿部（12）を備え、
室外から取り込んだ室外空気（OA）を上記調湿部（12）において除湿又は加湿して浴室（R5）を含む複数の室内空間（R1〜R5）へ供給する一方、該複数の室内空間（R1〜R5）から取り込んだ室内空気を室外へ排出することによって上記複数の室内空間（R1〜R5）の空気の湿度を目標湿度（Rt）に調節する調湿装置であって、
上記室外空気（OA）の湿度の実測値（Ro）と上記室内空気（RA）の湿度の実測値（Rr）と上記目標湿度（Rt）とに基づいて上記調湿部（12）の必要能力を演算し、該調湿部（12）の能力が演算された必要能力となるように該調湿部（12）を制御する通常制御と、
上記浴室（R5）の使用を示す所定の条件が成立する間、上記通常制御に代わって、上記調湿部（12）の能力が、上記条件の成立直前に上記通常制御において演算した必要能力となるように上記調湿部（12）を制御する特殊制御とを実行する制御部（100）を備えている
ことを特徴とする調湿装置。
【請求項６】
請求項１乃至５のいずれか１つにおいて、
上記調湿部（12）は、
圧縮機（31）と膨張機構（37,38）と表面に吸着剤が設けられた第１及び第２吸着熱交換器（33a,33b）とが接続され、冷媒の循環方向が交互に切り換わるように構成された冷媒回路（30）と、
上記冷媒回路（30）における冷媒の循環方向の切換に伴って、上記室外空気（OA）と上記室内空気（RA）との流通状態を、上記室外空気（OA）が上記第１吸着熱交換器（33a）を通過し且つ上記室内空気（RA）が上記第２吸着熱交換器（33b）を通過する第１流通状態と、上記室外空気（OA）が上記第２吸着熱交換器（33b）を通過し且つ上記室内空気（RA）が上記第１吸着熱交換器（33a）を通過する第２流通状態とに交互に切り換える切換機構（32）とを有し、
上記制御部（100）は、上記圧縮機（31）の回転速度を調節することによって上記調湿部（12）の能力を制御するように構成されている
ことを特徴とする調湿装置。
【発明の詳細な説明】
【技術分野】
【０００１】
本発明は、室内空気の湿度を調節する調湿装置に関するものである。
【背景技術】
【０００２】
従来、室外空気を取り込み、湿度を調節して室内に供給する一方、室内空気を室外へ排出することで室内空気の湿度を調節する調湿装置が知られている（例えば、下記の特許文献１を参照）。
【０００３】
特許文献１に開示された調湿装置は、室外空気を除湿又は加湿する調湿部を有し、除湿運転と加湿運転とを行う。除湿運転では、室外空気が取り込まれ、除湿されて室内へ供給される。一方、加湿運転では、室外空気が取り込まれ、加湿されて室内へ供給される。室外空気の湿度が比較的高い夏場には、室内空気の湿度が所定の目標湿度よりも高くなると除湿運転が実行され、室外空気の湿度が比較的低い冬場には、室内空気の湿度が所定の目標湿度よりも低くなると加湿運転が実行される。また、上記調湿装置では、通常、取り込んだ室内空気及び室外空気の湿度の実測値と室内空間の空気の目標湿度とから調湿部の必要能力が演算され、調湿部の能力が演算された能力となるように調湿部が制御される。
【先行技術文献】
【特許文献】
【０００４】
【特許文献１】特開２００９−９２２９９号公報
【発明の概要】
【発明が解決しようとする課題】
【０００５】
ところで、浴室を含む複数の室内空間を有する住宅等に上記調湿装置を設け、複数の室内空間の空気の湿度を１つの調湿装置で調節する場合がある。このような場合、調湿装置には、浴室を含む複数の室内空間の空気が室内空気として吸い込まれる。そして、調湿装置では、吸い込んだ複数の室内空間の空気の湿度の実測値を室内空気の湿度の実測値として調湿部の必要能力が演算される。
【０００６】
しかしながら、浴室内の空気は、入浴中や給湯中等の浴室が使用される条件下では、他の室内空間の空気に比べて著しく湿度が高くなる。そのため、調湿装置に吸い込まれた室内空気の湿度の実測値が、浴室以外の室内空間の空気（例えば、居室内の空気）の実際の湿度よりも高くなる。これにより、除湿運転中に、浴室以外の室内空間の空気の湿度が目標湿度まで低下しているにも拘わらず、調湿部の能力が十分でないと誤判断して調湿部の能力を増大させることにより、浴室以外の室内空間の空気の湿度が目標湿度を下回る過除湿状態となるおそれがあった。また、加湿運転中に、浴室以外の室内空間の空気の湿度が目標湿度まで上昇していないにも拘わらず、調湿部の能力が十分であると誤判断して調湿部の能力を低下させることにより、浴室以外の室内空間の空気の湿度が目標湿度を下回る加湿不足状態となるおそれがあった。つまり、浴室の使用中は、浴室内の空気の湿度の急上昇によって浴室以外の室内空間の調湿負荷（浴室以外の室内空間の空気の湿度と目標湿度との差）を正確に把握することができず、調湿部の必要能力を正確に演算することができなかった。そのため、浴室の使用中には、浴室以外の室内空間の空気の湿度を精度良く目標湿度に調節することができなかった。
【０００７】
本発明は、かかる点に鑑みてなされたものであり、その目的は、浴室を含む複数の室内空間の湿度を調節する調湿装置において、浴室の使用中であっても、浴室以外の室内空間の空気の湿度を精度良く調節することにある。
【課題を解決するための手段】
【０００８】
第１の発明は、空気の除湿又は加湿を行う調湿部（12）を備え、室外から取り込んだ室外空気（OA）を上記調湿部（12）において除湿又は加湿して浴室（R5）を含む複数の室内空間（R1〜R5）へ供給する一方、該複数の室内空間（R1〜R5）から取り込んだ室内空気（RA）を室外へ排出することによって上記複数の室内空間（R1〜R5）の空気の湿度を目標湿度（Rt）に調節する調湿装置であって、上記室外空気（OA）の湿度の実測値（Ro）と上記室内空気（RA）の湿度の実測値（Rr）と上記目標湿度（Rt）とに基づいて上記調湿部（12）の必要能力を演算し、該調湿部（12）の能力が演算された必要能力となるように該調湿部（12）を制御する通常制御と、上記浴室（R5）の使用を示す所定の条件が成立する間、上記通常制御に代わって、上記室外空気（OA）の湿度の実測値（Ro）と上記浴室（R5）以外の室内空間（R1〜R4）の空気の湿度に対応する所定湿度（Rr-f）と上記目標湿度（Rt）とに基づいて上記調湿部（12）の必要能力を演算し、該調湿部（12）の能力が演算された必要能力となるように該調湿部（12）を制御する特殊制御とを実行する制御部（100）を備えている。
【０００９】
第２の発明は、第１の発明において、上記所定湿度は、上記所定の条件の成立直前に上記通常制御において演算に用いた上記室内空気（RA）の湿度の実測値（Rr）である。
【００１０】
第３の発明は、第１の発明において、上記所定湿度は、予め設定された設定値である。
【００１１】
第１乃至第６の発明では、調湿装置は、室外から取り込んだ室外空気（OA）を調湿部（12）において除湿又は加湿して浴室（R5）を含む複数の室内空間（R1〜R5）へ供給して複数の室内空間（R1〜R5）の空気の湿度を目標湿度（Rt）に調節する。
【００１２】
また、第１の発明では、浴室（R5）の使用を示す所定の条件が成立していない場合には、制御部（100）によって、室外空気（OA）の湿度の実測値（Ro）と室内空気（RA）の湿度の実測値（Rr）と目標湿度（Rt）とに基づいて調湿部（12）の必要能力を演算し、調湿部（12）の能力が演算された必要能力となるように調湿部（12）を制御する通常制御が実行される。一方、浴室（R5）の使用を示す所定の条件が成立する場合には、制御部（100）によって、室外空気（OA）の湿度の実測値（Ro）と浴室（R5）以外の室内空間（R1〜R4）の空気の湿度に対応する所定湿度（Rr-f）と目標湿度（Rt）とに基づいて調湿部（12）の必要能力を演算し、調湿部（12）の能力が演算された必要能力となるように調湿部（12）を制御する特殊制御が、通常制御に代わって実行される。つまり、浴室（R5）の使用を示す所定の条件が成立している場合に、調湿部（12）の必要能力の演算に、室内空気（RA）の湿度の実測値（Rr）ではなく、浴室（R5）以外の室内空間（R1〜R4）の空気の湿度に対応する所定湿度（Rr-f）を用いることとした。そのため、浴室（R5）の使用中に、室内空気（RA）の湿度の実測値（Rr）が浴室（R5）以外の室内空間（R1〜R4）の空気の実際の湿度より高くなっても、室内空間（R1〜R5）の除湿中に、室内空気の湿度が目標湿度（Rt）に到達していないと誤判断されるおそれがなく、また、室内空間（R1〜R5）の加湿中に、室内空気の湿度が目標湿度（Rt）に到達したと誤判断されるおそれもない。
【００１３】
特に、第２の発明では、浴室（R5）の使用を示す所定の条件が成立している場合に、室内空気（RA）の湿度の実測値（Rr）の代わりに、浴室（R5）の使用を示す所定の条件の成立直前に通常制御において演算に用いた室内空気（RA）の湿度の実測値（Rr）を用いて調湿部（12）の必要能力を演算する。つまり、浴室（R5）の使用中には、浴室（R5）内の空気の湿度が急上昇する前の室内空気の湿度を用いて調湿部（12）の必要能力を演算する。
【００１４】
また、第３の発明では、浴室（R5）の使用を示す所定の条件が成立している場合に、室内空気（RA）の湿度の実測値（Rr）の代わりに、浴室（R5）以外の室内空間（R1〜R4）の空気の湿度に対応する所定湿度（Rr-f）として予め設定された設定値を用いて調湿部（12）の必要能力を演算する。
【００１５】
第４の発明は、空気の除湿又は加湿を行う調湿部（12）を備え、室外から取り込んだ室外空気（OA）を上記調湿部（12）において除湿又は加湿して浴室（R5）を含む複数の室内空間（R1〜R5）へ供給する一方、該複数の室内空間（R1〜R5）から取り込んだ室内空気（RA）を室外へ排出することによって上記複数の室内空間（R1〜R5）の空気の湿度を目標湿度（Rt）に調節する調湿装置であって、上記室外空気（OA）の湿度の実測値（Ro）と上記室内空気（RA）の湿度の実測値（Rr）と上記目標湿度（Rt）とに基づいて上記調湿部（12）の必要能力を演算し、該調湿部（12）の能力が演算された必要能力となるように該調湿部（12）を制御する通常制御と、上記浴室（R5）の使用を示す所定の条件が成立する間、上記通常制御に代わって、上記室外空気（OA）の湿度の実測値（Ro）と上記室内空気（RA）の湿度の実測値（Rr）を該実測値よりも低くなるように補正した値（Rr-c）と上記目標湿度（Rt）とに基づいて上記調湿部（12）の必要能力を演算し、該調湿部（12）の能力が演算された必要能力となるように該調湿部（12）を制御する特殊制御とを実行する制御部（100）を備えている。
【００１６】
第４の発明では、浴室（R5）の使用を示す所定の条件が成立していない場合には、制御部（100）によって、室外空気（OA）の湿度の実測値（Ro）と室内空気（RA）の湿度の実測値（Rr）と目標湿度（Rt）とに基づいて調湿部（12）の必要能力を演算し、調湿部（12）の能力が演算された必要能力となるように調湿部（12）を制御する通常制御が実行される。一方、浴室（R5）の使用を示す所定の条件が成立する場合には、制御部（100）によって、室外空気（OA）の湿度の実測値（Ro）と室内空気（RA）の湿度の実測値（Rr）を該実測値（Rr）よりも低くなるように補正した値（Rr-c）と目標湿度（Rt）とに基づいて調湿部（12）の必要能力を演算し、調湿部（12）の能力が演算された必要能力となるように調湿部（12）を制御する特殊制御が、通常制御に代わって実行される。つまり、浴室（R5）の使用を示す所定の条件が成立している場合に、調湿部（12）の必要能力の演算に、室内空気（RA）の湿度の実測値（Rr）ではなく、室内空気（RA）の湿度の実測値（Rr）を該実測値よりも低くなるように補正した値（Rr-c）を用いることとした。そのため、浴室（R5）の使用中に、室内空気（RA）の湿度の実測値（Rr）が浴室（R5）以外の室内空間（R1〜R4）の空気の実際の湿度より高くなっても、室内空間（R1〜R5）の除湿中に、室内空気の湿度が目標湿度（Rt）に到達していないと誤判断されるおそれがなく、また、室内空間（R1〜R5）の加湿中に、室内空気の湿度が目標湿度（Rt）に到達したと誤判断されるおそれもない。
【００１７】
第５の発明は、空気の除湿又は加湿を行う調湿部（12）を備え、室外から取り込んだ室外空気（OA）を上記調湿部（12）において除湿又は加湿して浴室（R5）を含む複数の室内空間（R1〜R5）へ供給する一方、該複数の室内空間（R1〜R5）から取り込んだ室内空気を室外へ排出することによって上記複数の室内空間（R1〜R5）の空気の湿度を目標湿度（Rt）に調節する調湿装置であって、上記室外空気（OA）の湿度の実測値（Ro）と上記室内空気（RA）の湿度の実測値（Rr）と上記目標湿度（Rt）とに基づいて上記調湿部（12）の必要能力を演算し、該調湿部（12）の能力が演算された必要能力となるように該調湿部（12）を制御する通常制御と、上記浴室（R5）の使用を示す所定の条件が成立する間、上記通常制御に代わって、上記調湿部（12）の能力が、上記条件の成立直前に上記通常制御において演算した必要能力となるように上記調湿部（12）を制御する特殊制御とを実行する制御部（100）を備えている。
【００１８】
第５の発明では、浴室（R5）の使用を示す所定の条件が成立していない場合には、制御部（100）によって、室外空気（OA）の湿度の実測値（Ro）と室内空気（RA）の湿度の実測値（Rr）と目標湿度（Rt）とに基づいて調湿部（12）の必要能力を演算し、調湿部（12）の能力が演算された必要能力となるように調湿部（12）を制御する通常制御が実行される。一方、浴室（R5）の使用を示す所定の条件が成立する場合には、制御部（100）によって、調湿部（12）の能力が、浴室（R5）の使用を示す所定の条件の成立直前に通常制御において演算した必要能力となるように調湿部（12）を制御する特殊制御が、通常制御に代わって実行される。つまり、浴室（R5）の使用を示す所定の条件が成立している場合には、新たに調湿部（12）の必要能力を演算することなく、上記所定の条件の成立直前に通常制御において演算された必要能力を用いて調湿部（12）を制御することとした。そのため、浴室（R5）の使用中に、室内空気（RA）の湿度の実測値（Rr）が浴室（R5）以外の室内空間（R1〜R4）の空気の実際の湿度より高くなっても、室内空間（R1〜R5）の除湿中に、室内空気の湿度が目標湿度（Rt）に到達していないと誤判断されるおそれがなく、また、室内空間（R1〜R5）の加湿中に、室内空気の湿度が目標湿度（Rt）に到達したと誤判断されるおそれもない。
【００１９】
第６の発明は、第１乃至第５のいずれか１つの発明において、上記調湿部（12）は、圧縮機（31）と膨張機構（37,38）と表面に吸着剤が設けられた第１及び第２吸着熱交換器（33a,33b）とが接続され、冷媒の循環方向が交互に切り換わるように構成された冷媒回路（30）と、上記冷媒回路（30）における冷媒の循環方向の切換に伴って、上記室外空気（OA）と上記室内空気（RA）との流通状態を、上記室外空気（OA）が上記第１吸着熱交換器（33a）を通過し且つ上記室内空気（RA）が上記第２吸着熱交換器（33b）を通過する第１流通状態と、上記室外空気（OA）が上記第２吸着熱交換器（33b）を通過し且つ上記室内空気（RA）が上記第１吸着熱交換器（33a）を通過する第２流通状態とに交互に切り換える切換機構（32）とを有し、上記制御部（100）は、上記圧縮機（31）の回転速度を調節することによって上記調湿部（12）の能力を制御するように構成されている。
【００２０】
第６の発明では、冷媒回路（30）において冷媒が循環することにより、第１及び第２吸着熱交換器（33a,33b）の一方が凝縮器となり、他方が蒸発器として機能する。室外空気（OA）が蒸発器として機能する吸着熱交換器を通過する場合、室外空気（OA）中の水分が吸着材に吸着すると共にその際に生じる吸着熱が冷媒に吸収され、室外空気（OA）が除湿される。一方、室外空気（OA）が凝縮器として機能する吸着熱交換器を通過する場合、室外空気（OA）が冷媒によって加熱され、吸着剤に吸着した水分が室外空気（OA）に放出され、室外空気（OA）が加湿される。このとき、制御部（100）は、冷媒回路（30）に接続された圧縮機（31）の回転速度を増減することにより、調湿部（12）の能力を制御する。
【発明の効果】
【００２１】
第１乃至第３の発明によれば、浴室（R5）内の空気の湿度が他の室内空間（R1〜R5）の空気の湿度よりも著しく高くなる浴室（R5）の使用中に、調湿部（12）の必要能力の演算に、室内空気（RA）の湿度の実測値（Rr）ではなく、浴室（R5）以外の室内空間（R1〜R4）の空気の湿度に対応する所定湿度（Rr-f）を用いることとした。このように、浴室（R5）の使用中に、室内空気（RA）の湿度の実測値（Rr）が浴室（R5）以外の室内空間（R1〜R4）の空気の実際の湿度より高くなっても、室内空気（RA）の湿度の実測値（Rr）ではなく、浴室（R5）以外の室内空間（R1〜R4）の空気の湿度に対応する所定湿度（Rr-f）を用いて調湿部（12）の必要能力を演算するため、浴室（R5）以外の室内空間（R1〜R4）の調湿負荷（室内空気の湿度と目標湿度（Rt）との差）を正確に把握することができ、調湿部（12）の必要能力を正確に演算することができる。つまり、室内空間（R1〜R5）の除湿中に、浴室（R5）以外の室内空間（R1〜R4）の空気の湿度が目標湿度（Rt）まで低下しているにも拘わらず、浴室（R5）内の空気の湿度の急上昇によって、調湿部（12）の能力が十分でないと誤判断して調湿部（12）の能力を増大させることがない。また、室内空間（R1〜R5）の加湿中に、浴室（R5）以外の室内空間（R1〜R4）の空気の湿度が目標湿度（Rt）まで上昇していないにも拘わらず、浴室（R5）内の空気の湿度の急上昇によって、調湿部（12）の能力が十分であると誤判断して調湿部（12）の能力を低下させることもない。従って、第１の発明によれば、浴室（R5）の使用中であっても、浴室（R5）以外の室内空間（R1〜R4）の空気の湿度を精度良く調節することができる。
【００２２】
特に、第２の発明では、浴室（R5）の使用中に、室内空気（RA）の湿度の実測値（Rr）の代わりに、浴室（R5）の使用を示す所定の条件の成立直前に通常制御において演算に用いた室内空気（RA）の湿度の実測値（Rr）を用いて調湿部（12）の必要能力を演算することとした。浴室（R5）の使用により、浴室（R5）内の空気の湿度は急上昇しても、浴室（R5）以外の室内空間（R1〜R4）の空気の湿度は大きく変動しない。そのため、浴室（R5）の使用中に、浴室（R5）内の空気の湿度が急上昇する前の室内空気（RA）の湿度の実測値（Rr）を用いて調湿部（12）の必要能力を演算することにより、浴室（R5）内の空気の湿度が急上昇しても、調湿部（12）の必要能力を正確に演算することができる。
【００２３】
また、第３の発明では、浴室（R5）の使用中に、室内空気（RA）の湿度の実測値（Rr）の代わりに、浴室（R5）以外の室内空間（R1〜R4）の空気の湿度に対応する所定湿度（Rr-f）として予め設定された設定値を用いて調湿部（12）の必要能力を演算することとした。浴室（R5）以外の室内空気の湿度の変動範囲は、季節に応じて変動するものの、ある程度予測できる。そのため、浴室（R5）の使用中に、浴室（R5）以外の室内空間（R1〜R4）の空気の湿度に対応する所定湿度（Rr-f）として予め設定された設定値を用いて調湿部（12）の必要能力を演算することにより、浴室（R5）内の空気の湿度が急上昇しても、調湿部（12）の必要能力を正確に演算することができる。
【００２４】
また、第４の発明によれば、浴室（R5）内の空気の湿度が他の室内空間（R1〜R5）の空気の湿度よりも著しく高くなる浴室（R5）の使用中に、調湿部（12）の必要能力の演算に、室内空気（RA）の湿度の実測値（Rr）を該実測値よりも低くなるように補正した値（Rr-c）を用いることとした。このように、浴室（R5）の使用中に、室内空気（RA）の湿度の実測値（Rr）が浴室（R5）以外の室内空間（R1〜R4）の空気の実際の湿度より高くなっても、室内空気（RA）の湿度の実測値（Rr）ではなく、室内空気（RA）の湿度の実測値（Rr）を該実測値よりも低くなるように補正した値（Rr-c）を用いて調湿部（12）の必要能力を演算するため、浴室（R5）以外の室内空間（R1〜R4）の調湿負荷（室内空気の湿度と目標湿度（Rt）との差）を正確に把握することができ、調湿部（12）の必要能力を正確に演算することができる。つまり、室内空間（R1〜R5）の除湿中に、浴室（R5）以外の室内空間（R1〜R4）の空気の湿度が目標湿度（Rt）まで低下しているにも拘わらず、浴室（R5）内の空気の湿度の急上昇によって、調湿部（12）の能力が十分でないと誤判断して調湿部（12）の能力を増大させることがない。また、室内空間（R1〜R5）の加湿中に、浴室（R5）以外の室内空間（R1〜R4）の空気の湿度が目標湿度（Rt）まで上昇していないにも拘わらず、浴室（R5）内の空気の湿度の急上昇によって、調湿部（12）の能力が十分であると誤判断して調湿部（12）の能力を低下させることもない。従って、第４の発明によれば、浴室（R5）の使用中であっても、浴室（R5）以外の室内空間（R1〜R4）の空気の湿度を精度良く調節することができる。
【００２５】
また、第５の発明によれば、浴室（R5）内の空気の湿度が他の室内空間（R1〜R5）の空気の湿度よりも著しく高くなる浴室（R5）の使用中に、新たに調湿部（12）の必要能力を演算することなく、浴室（R5）の使用を示す所定の条件の成立直前に通常制御において演算された必要能力を用いて調湿部（12）を制御することとした。このように、浴室（R5）の使用中に、新たに調湿部（12）の必要能力を演算することなく、浴室（R5）内の空気の湿度が急上昇する前の調湿部（12）の必要能力の演算結果を用いて調湿部（12）の能力を制御することにより、室内空気（RA）の湿度の実測値（Rr）が浴室（R5）以外の室内空間（R1〜R4）の空気の実際の湿度より高くなっても、調湿部（12）の能力を調湿負荷に応じて精度良く調節することができる。つまり、室内空間（R1〜R5）の除湿中に、浴室（R5）以外の室内空間（R1〜R4）の空気の湿度が目標湿度（Rt）まで低下しているにも拘わらず、浴室（R5）内の空気の湿度の急上昇によって、調湿部（12）の能力が十分でないと誤判断して調湿部（12）の能力を増大させることがない。また、室内空間（R1〜R5）の加湿中に、浴室（R5）以外の室内空間（R1〜R4）の空気の湿度が目標湿度（Rt）まで上昇していないにも拘わらず、浴室（R5）内の空気の湿度の急上昇によって、調湿部（12）の能力が十分であると誤判断して調湿部（12）の能力を低下させることもない。従って、第５の発明によれば、浴室（R5）の使用中であっても、浴室（R5）以外の室内空間（R1〜R4）の空気の湿度を精度良く調節することができる。
【図面の簡単な説明】
【００２６】
【図１】図１は、実施形態１の調湿装置の住宅内における設置状態を模式的に示す図である。
【図２】図２は、実施形態１の調湿装置の全体構成を示す概略の構成図である。
【図３】図３は、実施形態１の調湿装置の冷媒回路の配管系統図である。
【図４】図４は、実施形態１に係る調湿装置のコントローラ及び各センサの概略構成図である。
【図５】図５は、実施形態１に係る調湿装置のリモコンの概略構成図である。
【図６】図６は、実施形態１に係るリモコンの設定部に目標湿度範囲として設定可能な湿度範囲Ａ、Ｂ、Ｃを示す空気線図である。
【図７】図７は、実施形態１の調湿装置の除湿運転の第１動作における空気の流れを示した図２相当図である。
【図８】図８は、実施形態１の調湿装置の除湿運転の第２動作における空気の流れを示した図２相当図である。
【図９】図９は、実施形態１の調湿装置の加湿運転の第１動作における空気の流れを示した図２相当図である。
【図１０】図１０は、実施形態１の調湿装置の加湿運転の第２動作における空気の流れを示した図２相当図である。
【発明を実施するための形態】
【００２７】
以下、本発明の実施形態を図面に基づいて詳細に説明する。
【００２８】
《発明の実施形態１》
実施形態１では、本発明に係る調湿装置として、図１に示すように、浴室（R5）を含む複数の室内空間（R1〜R5）を有する建物、例えば、戸建住宅に設置され、複数の室内空間（R1〜R5）の空気の湿度を目標湿度（Rt）に調節する調湿装置について説明する。なお、図１において、室内空間（R5）は浴室（R5）であり、浴室（R5）以外の室内空間（R1〜R4）は、扉等の仕切り部材の隙間を介して廊下空間（C1,C2）と連通している。
【００２９】
図１に示すように、調湿装置（10）は、例えば、収納空間の床面に設置される床置き型の調湿装置である。調湿装置（10）は、調湿対象となる複数の室内空間（R1〜R5）と給気用ダクト（201）及び還気用ダクト（200）によって接続されている。具体的に、給気用ダクト（201）は、１つの流入端と５つの流出端とを有している。給気用ダクト（201）の流出端は、調湿装置（10）に接続され、５つの流出端は、５つの室内空間（R1〜R5）に１つずつ接続されている。一方、還気用ダクト（200）は、３つの流入端と１つの流出端とを有している。還気用ダクト（200）の３つの流入端は、２つの廊下空間（C1,C2）及び浴室（R5）に１つずつ接続され、１つの流出端は、調湿装置（10）に接続されている。
【００３０】
このような構成により、調湿装置（10）で湿度が調節された空気は、給気用ダクト（201）を介して５つの室内空間（R1〜R5）のそれぞれに供給される。一方、５つの室内空間（R1〜R5）のうちの浴室（R5）の空気は、直接、還気用ダクト（200）に流入し、該還気用ダクト（200）を介して調湿装置（10）に取り込まれる。また、浴室（R5）以外の室内空間（R1〜R4）の空気は、連通する廊下空間（C1,C2）を介して還気用ダクト（200）に流入し、該還気用ダクト（200）を介して調湿装置（10）に取り込まれる。なお、図１中の矢印は、空気の流れを示す。
【００３１】
−調湿装置の構成−
図２に示すように、調湿装置（10）は、ケーシング（11）と、該ケーシング（11）内に設けられ、空気の除湿又は加湿を行う調湿部（12）と、該調湿部（12）の動作を制御するコントローラ（100）と、リモートコントローラ（101）とを備えている。
【００３２】
〈ケーシング〉
ケーシング（11）には、４つのダクト接続口（18a〜18d）、即ち、給気接続口（18a）と排気接続口（18b）と外気接続口（18c）と内気接続口（18d）とが形成されている。給気接続口（18a）には、給気用ダクト（201）の流入端が接続されている。排気接続口（18b）には、一端が室外空間において開口する排気用ダクト（203）の他端が接続されている。外気接続口（18c）には、一端が室外空間において開口する吸気用ダクト（202）の他端が接続されている。内気接続口（18d）には、還気用ダクト（200）の流出端が接続されている。
【００３３】
調湿装置（10）では、給気接続口（18a）及び内気接続口（18d）が、給気用ダクト（201）及び還気用ダクト（200）を介して室内空間（R1〜R5）と連通し、排気接続口（18b）及び外気接続口（18c）が、排気用ダクト（203）及び吸気用ダクト（202）を介して室外空間と連通している。内気接続口（18d）には、室内空間（R1〜R5）から室内空気（RA）が吸い込まれ、外気接続口（18c）には、室外から室外空気（OA）が吸い込まれる。給気接続口（18a）からは、室内空間（R1〜R5）へ供給空気（SA）が吹き出され、排気接続口（18b）からは、室外空間へ排出空気（EA）が吹き出される。
【００３４】
〈調湿部〉
以下に説明するケーシング（11）内に収容されるコントローラ（100）以外の要素が、本発明の調湿部（12）に相当する。
【００３５】
ケーシング（11）内には、内気流路（61）と、外気流路（62）と、給気流路（63）と、排気流路（64）と、第１調湿流路（65）と、第２調湿流路（66）とが形成されている。内気流路（61）は、内気接続口（18d）に接続されている。外気流路（62）は、外気接続口（18c）に接続されている。給気流路（63）は、給気接続口（18a）に接続されている。排気流路（64）は、排気接続口（18b）に接続されている。第１調湿流路（65）及び第２調湿流路（66）は、後述する第１流路切換機構（71）によって内気流路（61）及び外気流路（62）に接続され、後述する第２流路切換機構（72）によって給気流路（63）及び排気流路（64）に接続されている。
【００３６】
ケーシング（11）内には、第１吸着熱交換器（33a）と、第２吸着熱交換器（33b）と、レヒート熱交換器（35）と、給気ファン（85）と、排気ファン（88）と、第１流路切換機構（71）と、第２流路切換機構（72）とが設けられている。
【００３７】
第１及び第２吸着熱交換器（33a,33b）とレヒート熱交換器（35）とは、後述する冷媒回路（30）（図３を参照）に接続されている。図２では、図示を省略しているが、冷媒回路（30）は、ケーシング（11）内に設けられている。第１吸着熱交換器（33a）は、第１調湿流路（65）に設けられている。第２吸着熱交換器（33b）は、第２調湿流路（66）に設けられている。レヒート熱交換器（35）は、外気流路（62）に設けられている。
【００３８】
給気ファン（85）及び排気ファン（88）は、いずれも遠心型の多翼ファン（いわゆるシロッコファン）によって構成されている。給気ファン（85）は、給気流路（63）に設けられている。排気ファン（88）は、排気流路（64）に設けられている。
【００３９】
第１及び第２流路切換機構（71,72）は、いずれも複数の開閉ダンパによって構成され、ケーシング（11）内における空気の流通状態を、第１流通状態と第２流通状態とに切り換えるように構成されている。
【００４０】
具体的には、第１流路切換機構（71）は、内気流路（61）及び外気流路（62）の流出端と、第１及び第２調湿流路（65,66）の流入端との間に設けられ、外気流路（62）と第１調湿流路（65）とを連通させ且つ内気流路（61）と第２調湿流路（66）とを連通させる第１流通状態と、内気流路（61）と第１調湿流路（65）とを連通させ且つ外気流路（62）と第２調湿流路（66）とを連通させる第２流通状態とに切り換える。
【００４１】
第２流路切換機構（72）は、第１及び第２調湿流路（65,66）の流出端と、給気流路（63）及び排気流路（64）の流入端との間に設けられ、第１調湿流路（65）と給気流路（63）とを連通させ且つ第２調湿流路（66）と排気流路（64）とを連通させる第１流通状態と、第１調湿流路（65）と排気流路（64）とを連通させ且つ第２調湿流路（66）と給気流路（63）とを連通させる第２流通状態とに切り換える。
【００４２】
《冷媒回路》
また、ケーシング（11）内には、上述した冷媒回路（30）が設けられている。この冷媒回路（30）の構成について、図３を参照しながら説明する。
【００４３】
冷媒回路（30）は、冷媒配管が接続された閉回路であり、内部に冷媒が充填される。冷媒回路（30）では、冷媒が循環して蒸気圧縮式の冷凍サイクルが行われる。冷媒回路（30）には、圧縮機（31）と、四方切換弁（32）と、第１吸着熱交換器（33a）と、第２吸着熱交換器（33b）とが接続されている。
【００４４】
圧縮機（31）は、いわゆるインバータ制御によって容量（運転周波数）が可変に構成されている。つまり、圧縮機（31）のモータは、供給される交流電力の出力周波数（運転周波数）に応じて回転数が調節可能に構成される。
【００４５】
四方切換弁（32）は、第１から第４までのポートを有し、これらのポートの連通状態を切換可能に構成される。四方切換弁（32）の第１ポートは、圧縮機（31）の吐出管（31a）に接続し、四方切換弁（32）の第３ポートは、圧縮機（31）の吸入管（31b）に接続している。四方切換弁（32）の第２ポートは、第１吸着熱交換器（33a）のガス側端部に接続し、四方切換弁（32）の第４ポートは、第２吸着熱交換器（33b）のガス側端部に接続している。四方切換弁（32）は、第１ポートと第４ポートとを連通させて第２ポートと第３ポートとを連通させる状態（図３の実線で示す第１状態）と、第１ポートと第２ポートとを連通させて第３ポートと第４ポートとを連通させる状態（図３の破線で示す第２状態）とに切換可能に構成される。即ち、四方切換弁（32）は、第２吸着熱交換器（33b）で冷媒が放熱して第１吸着熱交換器（33a）で冷媒が蒸発する流路と、第１吸着熱交換器（33a）で冷媒が放熱して第２吸着熱交換器（33b）で冷媒が蒸発する流路とに、冷媒回路（30）の流路を切り換える冷媒流路切換機構を構成する。
【００４６】
冷媒回路（30）には、四方切換弁（32）の状態が切り換わっても、冷媒の流れを一方向のままとする一方向回路（36）が設けられる。この一方向回路（36）には、４つの逆止弁（CV-1,CV-2,CV-3,CV-4）がブリッジ状に接続されたブリッジ回路（36a）と、ブリッジ回路（36a）の流入端と流出端との間に並列に接続された、主回路（36b）及びレヒート回路（36c）が設けられる。
【００４７】
ブリッジ回路（36a）の各逆止弁（CV-1,CV-2,CV-3,CV-4）は、図３の矢印の方向の冷媒の流れを許容し、これとは逆方向の冷媒の流れを禁止する。ブリッジ回路（36a）では、第１逆止弁（C1-1）と第２逆止弁（CV-2）との間に第１吸着熱交換器（33a）の液側端部が接続され、第３逆止弁（CV-3）と第４逆止弁（CV-4）との間に第２吸着熱交換器（33b）の液側端部が接続されている。第１逆止弁（ＣＶ−１）及び第３逆止弁（CV-3）の合流部と、第２逆止弁（CV-2）及び第４逆止弁（CV-4）の分流部との間には、主回路（36b）とレヒート回路（36c）とが並列に接続されている。主回路（36b）には、主膨張弁（37）が接続されている。レヒート回路（36c）には、上流側にレヒート熱交換器（35）が、下流側にレヒート側膨張弁（38）が接続される。レヒート熱交換器（35）は、冷媒によって室外空気（OA）を加熱する加熱熱交換器を構成する。主膨張弁（37）及びレヒート側膨張弁（38）は、開度が可変な電動式の流量調節弁であり、例えば電子膨張弁で構成される。
【００４８】
第１及び第２吸着熱交換器（33a,33b）は、クロスフィン型のフィンアンドチューブ式の熱交換器本体（34）の表面に吸着剤が担持されて構成されている。吸着剤は、多数のフィン及び伝熱管の表面に担持されている。吸着剤と空気との界面では、空気中の水分が吸着剤へ吸着されるか、又は吸着された水分が空気中へ脱離する（吸着剤が再生される）。吸着剤としては、ゼオライト、シリカゲル、活性炭、親水性の官能基を有する有機高分子材料等が用いられる。また、吸着剤としては、水分を吸着するだけで機能だけなく、水分を吸収する機能を有する材料（いわゆる収着剤）を用いてもよい。
【００４９】
〈センサ及びコントローラ〉
図２に示すように、調湿装置（10）は、各種のセンサ（111,112,116,117）と、調湿装置（10）の各運転（除湿運転、加湿運転、調湿運転、換気運転）を制御する制御部としてのコントローラ（100）とを備えている。各種のセンサ（111,112,116,117）とコントローラ（100）は、ケーシング（11）内に設けられている。
【００５０】
図１３に模式的に示すように、本実施形態の調湿装置（10）は、内気湿度センサ（111）と、内気温度センサ（116）と、外気湿度センサ（112）と、外気温度センサ（117）とを備えている。
【００５１】
内気湿度センサ（111）及び内気温度センサ（116）は、内気流路（61）に配置されている。内気湿度センサ（111）は、内気接続口（18d）を介して内気流路（61）に取り込まれた室内空気（RA）の湿度（Rh-r）（相対湿度）を検出する。内気温度センサ（116）は、内気接続口（18d）を介して内気流路（61）に取り込まれた室内空気（RA）の温度（T-r）を検出する。ここで、内気流路（61）は、還気用ダクト（200）を介して、室内空間（R1〜R5）に連通しているので、内気湿度センサ（111）が検出する相対湿度（Rh-r）は、各室内空間（R1〜R5）の平均の相対湿度であり、内気温度センサ（116）が検出する温度（T-r）は、各室内空間（R1〜R5）の平均の温度である。
【００５２】
外気湿度センサ（112）及び外気温度センサ（117）は、外気流路（62）に配置されている。外気湿度センサ（112）は、外気接続口（18c）を介して外気流路（62）に取り込まれた室外空気（OA）の湿度（Rh-o）（相対湿度）を検出する。外気温度センサ（117）は、外気接続口（18c）を介して外気流路（62）に取り込まれた室外空気（OA）の温度（T-o）を検出する。
【００５３】
コントローラ（100）は、後述するリモートコントローラ（101）に入力されたユーザーからの指示内容や各センサ（111,112,116,117）の検出値に応じて、圧縮機（31）の回転速度、各膨張弁（37,38）の開度、第１及び第２流路切換機構（71,72）を構成する各ダンパの開閉状態、及び各ファン（85,88）の風量を調節して各運転（除湿運転、加湿運転、調湿運転、換気運転）を実行するように構成されている。
【００５４】
特に、本実施形態では、コントローラ（100）は、換気運転を除く各運転（除湿運転、加湿運転、調湿運転）において、圧縮機（31）の回転速度の制御に関する通常制御部（102）と特殊制御部（103）とを有している（図４参照）。通常制御部（102）及び特殊制御部（103）は、各センサ（111,112,116,117）の検出値と運転条件に基づいて、圧縮機（31）の回転速度を調節することによって、調湿部（12）の能力（除湿能力や加湿能力）を制御する。
【００５５】
通常制御部（102）は、室外空気（OA）の湿度の実測値（Ro）と、室内空気（RA）の湿度の実測値（Rr）と、複数の室内空間（R1〜R5）の空気の目標湿度（Rt）とに基づいて、調湿装置（10）の調湿部（12）において必要な調湿能力（除湿能力又は加湿能力）を演算し、調湿部（12）の能力が演算された調湿能力となるように調湿部（12）を制御する通常制御を実行するように構成されている。具体的には、通常制御部（102）は、室内空気（RA）の湿度の実測値（Rr）を室内空間（R1〜R5）の空気の湿度とし、該室内空間（R1〜R5）の空気の湿度が、目標湿度（Rt）に近づくような圧縮機（31）の回転速度を演算し、圧縮機（31）の回転速度が演算された回転速度となるように圧縮機（31）のモータを制御する。
【００５６】
特殊制御部（103）は、浴室（R5）の使用を示す所定の条件（以下、浴室使用条件と言う。）が成立する間、通常制御部（102）による通常制御の代わりに特殊制御を実行するように構成されている。特殊制御部（103）は、室外空気（OA）の湿度の実測値（Ro）と、浴室（R5）以外の室内空間（R1〜R4）の空気の湿度に対応する所定湿度（Rr-f）と、複数の室内空間（R1〜R5）の空気の目標湿度（Rt）とに基づいて、調湿装置（10）の調湿部（12）において必要な調湿能力を演算し、調湿部（12）の能力が演算された調湿能力となるように調湿部（12）を制御する特殊制御を実行する。
【００５７】
なお、本実施形態では、上記浴室（R5）以外の室内空間（R1〜R4）の空気の湿度に対応する所定湿度（Rr-f）として、上記浴室使用条件の成立直前に通常制御部（102）が通常制御において演算に用いた室内空気（RA）の湿度の実測値（Rr-fp）が用いられる。つまり、特殊制御部（103）は、上記浴室使用条件の成立直前に通常制御部（102）が通常制御において演算に用いた室内空気（RA）の湿度の実測値（Rr-fp）を室内空間（R1〜R5）の空気の湿度とし、該室内空間（R1〜R5）の空気の湿度が、目標湿度（Rt）に近づくような圧縮機（31）の回転速度を演算し、圧縮機（31）の回転速度が演算された回転速度となるように圧縮機（31）のモータを制御する。
【００５８】
なお、上記室外空気（OA）の湿度の実測値（Ro）は、外気湿度センサ（112）の検出値（室外空気（OA）の相対湿度）と外気温度センサ（117）の検出値（室外空気（OA）の温度）とから得られる絶対湿度であり、上記室内空気（RA）の湿度の実測値（Rr）は、内気湿度センサ（111）の検出値（室内空気（RA）の相対湿度）と内気温度センサ（116）の検出値（室内空気（RA）の温度）とから得られる絶対湿度であり、上記複数の室内空間（R1〜R5）の目標湿度（Rt）は、絶対湿度の目標値である。
【００５９】
また、本実施形態では、コントローラ（100）は、例えば、図示しない給湯装置の電源スイッチのＯＮ信号が入力されるように構成されている。そして、コントローラ（100）は、給湯装置の電源スイッチのＯＮ信号が入力されると、上記浴室使用条件が成立したと判断して通常制御部（102）による通常制御から特殊制御部（103）による特殊制御に切り換えるように構成されている。また、コントローラ（100）は、室内空気（RA）の湿度の実測値（Rr）が所定の通常湿度まで低下すると、上記浴室使用条件が成立しなくなったと判断して特殊制御部（103）による特殊制御から通常制御部（102）による通常制御に切り換えるように構成されている。つまり、本実施形態１では、図示しない給湯装置の電源スイッチのＯＮ信号が入力されたときから、室内空気（RA）の湿度の実測値（Rr）が所定の通常湿度まで低下するまでの間が、上記浴室使用条件が成立する間となる。
【００６０】
なお、上記所定の通常湿度は、例えば、上記浴室使用条件の成立直前に通常制御において演算に用いられた室内空気（RA）の湿度の実測値（Rr）であってもよく、目標湿度（Rt）より高く浴室（R5）の使用の際に想定される湿度よりも低い固定値であってもよい。
【００６１】
〈リモートコントローラ〉
調湿装置（10）は、リモートコントローラ（101）を備えている。リモートコントローラ（101）は、コントローラ（100）に伝送線を介して接続されたワイヤードリモートコントローラであって、コントローラ（100）との間で信号を送受信して調湿装置（10）を遠隔操作するように構成されている。リモートコントローラ（101）は、液晶表示部（110）と設定部（120）とを備えている。
【００６２】
液晶表示部（110）は、リモートコントローラ（101）の前面において上半分に設けられ、調湿装置（10）の運転状態やユーザーによって設定された内容を表示する。
【００６３】
設定部（120）は、リモートコントローラ（101）の前面において下半分に設けられ、ユーザーが操作する各種の設定ボタン（121〜125）を有している。具体的には、設定部（120）は、カーソルボタン（121）と、メニュー／確定ボタン（122）と、運転切換ボタン（123）と、しつどボタン（124）と、運転／停止ボタン（125）と、キャンセルボタン（126）とを有している。
【００６４】
運転切換ボタン（123）は、調湿装置（10）の運転内容を設定するためのボタンであって、ユーザーが押す毎に、運転内容が、除湿運転、加湿運転の順に周期的に切り換わるように構成されている。この運転切換ボタン（123）によって設定された運転内容は、液晶表示部（110）において左上に表示される。
【００６５】
しつどボタン（124）は、ユーザーが調湿運転の目標湿度範囲（絶対湿度の目標範囲）を設定するためのボタンである。しつどボタン（124）は、ユーザーが複数の湿度範囲（絶対湿度の範囲）の中から１つを選択して目標湿度範囲を設定するように構成され、具体的には、ユーザーが押す毎に複数の湿度範囲が順に周期的に切り換わるサイクリックボタンである。
【００６６】
なお、複数の湿度範囲は、リモートコントローラ（101）内部の記憶部（図示省略）に記憶されている。本実施形態では、記憶部に、図６に示す３つの湿度範囲Ａ、Ｂ、Ｃが記憶されている。湿度範囲Ｃは、快適性が最も高い湿度範囲を含むように上限値と下限値がそれぞれ設定されている。そして、湿度範囲Ｂは、湿度範囲Ｃよりも上限値が高くて下限値が低く、さらに、湿度範囲Ａは、湿度範囲Ｂよりも上限値が高くて下限値が低くなるように設定されている。
【００６７】
これら３つの湿度範囲の内、目標湿度範囲として湿度範囲Ａが選択されると、液晶表示部（110）の中央部には「弱」と表示され、湿度範囲Ｂが選択されると「標準」と表示され、湿度範囲Ｃが選択されると「強」と表示される。
【００６８】
−運転動作−
調湿装置（10）の運転動作について図面を参照しながら順に説明する。本調湿装置（10）では、コントローラ（100）により、複数の室内空間（R1〜R5）を除湿する除湿運転と、複数の室内空間（R1〜R5）を加湿する加湿運転と、複数の室内空間（R1〜R5）の換気のみを行う換気運転と、複数の室内空間（R1〜R5）の除湿と加湿とを選択的に行う調湿運転とが切り換えて実行される。
【００６９】
〈除湿運転〉
除湿運転は、主に、夏季等の室外の温度と湿度とが比較的高い条件下で実行される。本実施形態では、運転開始前に、ユーザーが運転切換ボタン（123）を押すことによって「除湿運転」が選択され、さらに、ユーザーがカーソルボタン（121）を押すことによって目標湿度範囲が設定される。その後、ユーザーが運転／停止ボタン（125）を押すことによって、除湿運転が開始される。
【００７０】
除湿運転では、室外から調湿装置（10）に取り込まれた室外空気（OA）が除湿され、除湿された空気が室内空間（R1〜R5）へ供給空気（SA）として供給される。同時に、除湿運転では、室内空間（R1〜R5）から調湿装置（10）に取り込まれた室内空気（RA）が排出空気（EA）として室外へ排出される。除湿運転では、第１動作と第２動作とが所定の間隔置きに交互に実行され、室内空間（R1〜R5）が連続的に除湿される。
【００７１】
除湿運転の第１動作では、図３に示す冷媒回路（30）において、四方切換弁（32）が第１状態に設定され、レヒート側膨張弁（38）がほぼ全閉に近い状態に、主膨張弁（37）が所定の開度で開放される。圧縮機（31）が運転されると、圧縮機（31）で圧縮された冷媒が第２吸着熱交換器（33b）で放熱し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過し、第１吸着熱交換器（33a）で蒸発し、圧縮機（31）に吸入される。
【００７２】
一方、除湿運転の第２動作では、図３に示す冷媒回路（30）において、四方切換弁（32）が第２状態に設定され、レヒート側膨張弁（38）がほぼ全閉に近い状態となり、主膨張弁（37）が所定の開度で開放される。圧縮機（31）が運転されると、圧縮機（31）で圧縮された冷媒が第１吸着熱交換器（33a）で放熱し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過し、第２吸着熱交換器（33b）で蒸発し、圧縮機（31）に吸入される。
【００７３】
以上のように、調湿装置（10）の除湿運転では、原則として、レヒート回路（36c）に冷媒が供給されない。つまり、除湿運転では、レヒート熱交換器（35）が停止状態となる。
【００７４】
また、除湿運転の第１動作では、図７に示すように、第１流路切換機構（71）及び第２流路切換機構（72）が、それぞれ第１流通状態に切り換えられ、給気ファン（85）及び排気ファン（88）が運転される。
【００７５】
除湿運転の第１動作において、吸気用ダクト（202）を経由して外気流路（62）に取り込まれた室外空気（OA）は、レヒート熱交換器（35）を通過する。除湿運転では、上述のようにレヒート熱交換器（35）が停止状態である。このため、レヒート熱交換器（35）では、空気が加熱されることがない。
【００７６】
レヒート熱交換器（35）を通過した空気は、第１流路切換機構（71）によって第１調湿流路（65）に導かれる。第１調湿流路（65）を流れる空気は、第１吸着熱交換器（33a）を通過する。蒸発器として機能する第１吸着熱交換器（33a）では、空気中の水蒸気が吸着剤に吸着される。この際に生じた吸着熱は、冷媒の蒸発熱に利用される。第１吸着熱交換器（33a）で吸着されて除湿された空気は、第２流路切換機構（72）によって、給気流路（63）に導かれ、給気用ダクト（201）を経由して各室内空間（R1〜R5）へ供給空気（SA）として供給される。
【００７７】
除湿運転の第１動作において、室内側の還気用ダクト（200）を経由して還気用ダクト（200）に取り込まれた室内空気（RA）は、第１流路切換機構（71）によって第２調湿流路（66）に導かれる。第２調湿流路（66）を流れる空気は、第２吸着熱交換器（33b）を通過する。放熱器として機能する第２吸着熱交換器（33b）では、吸着剤から空気中へ水蒸気が脱離し、吸着剤が再生される。第２吸着熱交換器（33b）の吸着剤の再生に利用された空気は、第２流路切換機構（72）によって排気流路（64）に導かれ、排気用ダクト（203）を経由して室外空間へ排出空気（EA）として排出される。
【００７８】
一方、除湿運転の第２動作では、図８に示すように、第１流路切換機構（71）及び第２流路切換機構（72）が、それぞれ第２流通状態に切り換えられ、給気ファン（85）及び排気ファン（88）が運転される。
【００７９】
除湿運転の第２動作において、吸気用ダクト（202）を経由して外気流路（62）に取り込まれた室外空気（OA）は、レヒート熱交換器（35）を通過する。除湿運転では、上述のようにレヒート熱交換器（35）が停止状態である。このため、レヒート熱交換器（35）では、空気が加熱されることがない。
【００８０】
レヒート熱交換器（35）を通過した空気は、第１流路切換機構（71）によって第２調湿流路（66）に導かれる。第２調湿流路（66）を流れる空気は、第２吸着熱交換器（33b）を通過する。蒸発器として機能する第２吸着熱交換器（33b）では、空気中の水蒸気が吸着剤に吸着される。この際に生じた吸着熱は、冷媒の蒸発熱に利用される。第２吸着熱交換器（33b）で吸着されて除湿された空気は、第２流路切換機構（72）によって、給気流路（63）に導かれ、給気用ダクト（201）を経由して各室内空間（R1〜R5）へ供給空気（SA）として供給される。
【００８１】
除湿運転の第２動作において、室内側の還気用ダクト（200）を経由して還気用ダクト（200）に取り込まれた室内空気（RA）は、第１流路切換機構（71）によって第１調湿流路（65）に導かれる。第１調湿流路（65）を流れる空気は、第１吸着熱交換器（33a）を通過する。放熱器として機能する第１吸着熱交換器（33a）では、吸着剤から空気中へ水蒸気が脱離し、吸着剤が再生される。第１吸着熱交換器（33a）の吸着剤の再生に利用された空気は、第２流路切換機構（72）によって排気流路（64）に導かれ、排気用ダクト（203）を経由して室外空間へ排出空気（EA）として排出される。
【００８２】
〈加湿運転〉
加湿運転は、主に、冬季等の室外の温度と湿度とが比較的低い条件下で実行される。本実施形態では、運転開始前に、ユーザーが運転切換ボタン（123）を押すことによって「加湿運転」が選択され、さらに、ユーザーがカーソルボタン（121）を押すことによって目標湿度範囲が設定される。その後、ユーザーが運転／停止ボタン（125）を押すことによって、加湿運転が開始される。
【００８３】
加湿運転では、室外から調湿装置（10）に取り込まれた室外空気（OA）が加湿され、加湿された空気が室内空間（R1〜R5）へ供給空気（SA）として供給される。同時に、加湿運転では、室内空間（R1〜R5）から調湿装置（10）に取り込まれた室内空気（RA）が排出空気（EA）として室外へ排出される。加湿運転では、第１動作と第２動作とが所定の間隔置きに交互に実行され、室内空間（R1〜R5）が連続的に加湿される。
【００８４】
加湿運転の第１動作では、図３に示す冷媒回路（30）において、四方切換弁（32）が第２状態に設定され、主膨張弁（37）が閉状態となり、レヒート側膨張弁（38）が所定の開度で開放される。圧縮機（31）が運転されると、圧縮機（31）で圧縮された冷媒が第１吸着熱交換器（33a）で放熱し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第２吸着熱交換器（33b）で蒸発し、圧縮機（31）に吸入される。
【００８５】
一方、加湿運転の第２動作では、図３に示す冷媒回路（30）において、四方切換弁（32）が第１状態に設定され、主膨張弁（37）が閉状態となり、レヒート側膨張弁（38）が所定の開度で開放される。圧縮機（31）が運転されると、圧縮機（31）で圧縮された冷媒が第２吸着熱交換器（33b）で放熱し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第１吸着熱交換器（33a）で蒸発し、圧縮機（31）に吸入される。
【００８６】
以上のように、調湿装置（10）の加湿運転では、レヒート回路（36c）に冷媒が供給され、レヒート熱交換器（35）が運転される。このレヒート熱交換器（35）の加熱能力は、レヒート側膨張弁（38）の開度に応じて適宜調節される。また、この加湿運転において、室外空気（OA）の温度が所定温度よりも高くなると、レヒート側膨張弁（38）が全閉に近い状態となり、主膨張弁（37）が所定の開度で開放される。これにより、レヒート熱交換器（35）を停止しつつ、各吸着熱交換器（33a,33b）で空気を加湿できる。
【００８７】
また、加湿運転の第１動作では、図９に示すように、第１流路切換機構（71）及び第２流路切換機構（72）が、それぞれ第１流通状態となり、給気ファン（85）及び排気ファン（88）が運転される。
【００８８】
加湿運転の第１動作において、吸気用ダクト（202）を経由して外気流路（62）に取り込まれた室外空気（OA）は、レヒート熱交換器（35）を通過する。加湿運転では、このレヒート熱交換器（35）に冷媒が適宜供給され、室外空気（OA）がレヒート熱交換器（35）によって加熱される。
【００８９】
レヒート熱交換器（35）で加熱された空気は、第１流路切換機構（71）によって第１調湿流路（65）に導かれる。第１調湿流路（65）を流れる空気は、第１吸着熱交換器（33a）を通過する。放熱器として機能する第１吸着熱交換器（33a）では、吸着剤から空気中へ水蒸気が脱離し、この空気が加湿される。第１吸着熱交換器（33a）で加湿された空気は、第２流路切換機構（72）によって、給気流路（63）に導かれ、給気用ダクト（201）を経由して各室内空間（R1〜R5）へ供給空気（SA）として供給される。
【００９０】
加湿運転の第１動作において、室内側の還気用ダクト（200）を経由して還気用ダクト（200）に取り込まれた室内空気（RA）は、第１流路切換機構（71）によって第２調湿流路（66）に導かれる。第２調湿流路（66）を流れる空気は、第２吸着熱交換器（33b）を通過する。蒸発器として機能する第２吸着熱交換器（33b）では、空気中の水蒸気が吸着剤に吸着され、この吸着剤に水分が付与される。第２吸着熱交換器（33b）の吸着剤に水分を付与した空気は、第２流路切換機構（72）によって排気流路（64）に導かれ、排気用ダクト（203）を経由して室外空間へ排出空気（EA）として排出される。
【００９１】
一方、加湿運転の第２動作では、図１０に示すように、第１流路切換機構（71）及び第２流路切換機構（72）が、それぞれ第２流通状態に切り換えられ、給気ファン（85）及び排気ファン（88）が運転される。
【００９２】
加湿運転の第２動作において、吸気用ダクト（202）を経由して外気流路（62）に取り込まれた室外空気（OA）は、レヒート熱交換器（35）を通過する。加湿運転では、このレヒート熱交換器（35）に冷媒が適宜供給され、室外空気（OA）がレヒート熱交換器（35）によって加熱される。
【００９３】
レヒート熱交換器（35）で加熱された空気は、第１流路切換機構（71）によって第２調湿流路（66）に導かれる。第２調湿流路（66）を流れる空気は、第２吸着熱交換器（33b）を通過する。放熱器の状態の第２吸着熱交換器（33b）では、吸着剤から空気中へ水蒸気が脱離し、この空気が加湿される。第２吸着熱交換器（33b）で加湿された空気は、第２流路切換機構（72）によって、給気流路（63）に導かれ、給気用ダクト（201）を経由して各室内空間（R1〜R5）へ供給空気（SA）として供給される。
【００９４】
加湿運転の第２動作において、室内側の還気用ダクト（200）を経由して還気用ダクト（200）に取り込まれた室内空気（RA）は、第１流路切換機構（71）によって第１調湿流路（65）に導かれる。第１調湿流路（65）を流れる空気は、第１吸着熱交換器（33a）を通過する。蒸発器の状態の第１吸着熱交換器（33a）では、空気中の水蒸気が吸着剤に吸着され、この吸着剤に水分が付与される。第１吸着熱交換器（33a）の吸着剤に水分を付与した空気は、第２流路切換機構（72）によって排気流路（64）に導かれ、排気用ダクト（203）を経由して室外空間へ排出空気（EA）として排出される。
【００９５】
〈調湿運転〉
調湿運転は、各室内空間（R1〜R5）を除湿する除湿動作と室内を加湿する加湿動作とを選択的に実行する運転である。本実施形態では、運転開始前に、ユーザーが運転切換ボタン（123）を押すことによって「調湿運転」が選択され、さらに、ユーザーがカーソルボタン（121）を押すことによって目標湿度範囲が設定される。その後、ユーザーが運転／停止ボタン（125）を押すことによって、調湿運転が開始される。
【００９６】
調湿運転では、室内空気（RA）の絶対湿度が目標湿度範囲の下限値以上で且つ上限値以下である間は、各動作（除湿動作と加湿動作）が停止されている。
【００９７】
そして、室内空気（RA）の絶対湿度が目標湿度範囲の上限値よりも高くなると、除湿動作が開始される。除湿動作では、目標湿度範囲の上限値を目標湿度とする上記除湿運転と同様の動作が行われ、除湿動作中、室内空気（RA）の絶対湿度はその上限値（目標湿度）に維持される。
【００９８】
さらに、調湿運転では、室内空気（RA）の絶対湿度が目標湿度範囲の下限値よりも低くなると、加湿動作が開始される。加湿動作では、目標湿度範囲の下限値を目標湿度とする上記加湿運転と同様の動作が行われ、加湿動作中、室内空気の絶対湿度はその下限値（目標湿度）に維持される。
【００９９】
このように、調湿運転では、除湿動作と加湿動作とが選択的に行われ、室内空気（RA）の絶対湿度が目標湿度範囲内（上限値と下限値の間）に制御される。
【０１００】
例えば、図６に示す３つの湿度範囲の内、湿度幅の最も広い（上限値と下限値との差が最も大きい）湿度範囲Ａが目標湿度範囲として設定されると、液晶表示部（110）には「弱」と表示され、運転出力（例えば、圧縮機（31）の回転速度）の低い調湿運転が行われる。
【０１０１】
具体的に、湿度範囲Ａが目標湿度範囲に設定された調湿運転では、他の湿度範囲が目標湿度範囲に設定された場合よりも、除湿動作の目標湿度が高くなる。そのため、除湿動作中、室外空気（OA）の絶対湿度と目標湿度との差が小さくなり、室内空気（RA）の絶対湿度を目標湿度にするのに要する運転出力が低くなる。
【０１０２】
さらに、湿度範囲Ａが目標湿度範囲に設定された調湿運転では、他の湿度範囲が目標湿度範囲に設定された場合よりも、加湿動作の目標湿度が低くなる。そのため、加湿動作中、室外空気（OA）の絶対湿度と目標湿度との差が小さくなり、室内空気（RA）の絶対湿度を目標湿度にするのに要する運転出力が低くなる。
【０１０３】
このように、湿度範囲Ａを目標湿度範囲に設定すると、運転出力を低く抑えた省エネモードの調湿運転が行われる。そのため、調湿運転時の消費電力を低減することができる。
【０１０４】
また、３つの湿度範囲の内、湿度幅の最も狭い（上限値と下限値との差が最も小さい）湿度範囲Ｃが目標湿度範囲として設定されると、液晶表示部（110）には「強」と表示され、運転出力（例えば、圧縮機（31）の回転速度）の高い調湿運転が行われる。
【０１０５】
具体的に、湿度範囲Ｃが目標湿度範囲に設定された調湿運転では、他の湿度範囲が目標湿度範囲に設定された場合よりも、除湿動作の目標湿度が低くなる。そのため、除湿動作中、室外空気（OA）の絶対湿度と目標湿度との差が大きくなって運転出力が大きくなるものの、室内空気（RA）の絶対湿度を低めに維持して室内の快適性を高めることができる。
【０１０６】
さらに、湿度範囲Ｃが目標湿度範囲に設定された調湿運転では、他の湿度範囲が目標湿度範囲に設定された場合よりも、加湿動作の目標湿度が高くなる。そのため、加湿動作中、室外空気（OA）の絶対湿度と目標湿度との差が大きくなって運転出力が大きくなるものの、室内空気（RA）の絶対湿度を高めに維持して室内の快適性を高めることができる。
【０１０７】
また、３つの湿度範囲の内、湿度範囲Ｂが目標湿度範囲として設定されると、液晶表示部（110）には「標準」と表示され、運転出力が湿度範囲Ａの場合よりも高く湿度範囲Ｃの場合よりも低い調湿運転が行われる。
【０１０８】
〈換気運転〉
換気運転は、室外空気（OA）をそのまま室内空間（R1〜R5）へ供給すると同時に、室内空気（RA）をそのまま室外へ排出することで室内空間（R1〜R5）の換気を行う運転である。本実施形態では、運転開始前に、ユーザーが運転切換ボタン（123）を押すことによって「換気運転」が選択され、その後、ユーザーが運転／停止ボタン（125）を押すことによって、換気運転が開始される。
【０１０９】
換気運転では、第１動作と第２動作とが所定の間隔置きに交互に実行され、室内空間（R1〜R5）が連続的に換気される。なお、換気運転では、第１動作においても第２動作においても、圧縮機（31）の運転が停止され、冷媒回路（30）において冷媒が循環しない。
【０１１０】
換気運転の第１動作では、第１流路切換機構（71）及び第２流路切換機構（72）が、それぞれ第１流通状態に切り換えられ、給気ファン（85）及び排気ファン（88）が運転される。これにより、吸気用ダクト（202）を経由して外気流路（62）に取り込まれた室外空気（OA）は、第１流路切換機構（71）及び第２流路切換機構（72）によって、第１調湿流路（65）、給気流路（63）の順に流れ、給気用ダクト（201）を経由して各室内空間（R1〜R5）へ供給空気（SA）として供給される。一方、室内側の還気用ダクト（200）を経由して還気用ダクト（200）に取り込まれた室内空気（RA）は、第１流路切換機構（71）及び第２流路切換機構（72）によって、第２調湿流路（66）、排気流路（64）の順に流れ、排気用ダクト（203）を経由して室外空間へ排出空気（EA）として排出される。
【０１１１】
換気運転の第２動作では、第１流路切換機構（71）及び第２流路切換機構（72）が、それぞれ第２流通状態に切り換えられ、給気ファン（85）及び排気ファン（88）が運転される。これにより、吸気用ダクト（202）を経由して外気流路（62）に取り込まれた室外空気（OA）は、第１流路切換機構（71）及び第２流路切換機構（72）によって、第２調湿流路（66）、給気流路（63）の順に流れ、給気用ダクト（201）を経由して各室内空間（R1〜R5）へ供給空気（SA）として供給される。一方、室内側の還気用ダクト（200）を経由して還気用ダクト（200）に取り込まれた室内空気（RA）は、第１流路切換機構（71）及び第２流路切換機構（72）によって、第１調湿流路（65）、排気流路（64）の順に流れ、排気用ダクト（203）を経由して室外空間へ排出空気（EA）として排出される。
【０１１２】
〈制御モードの切換〉
本実施形態のコントローラ（100）は、換気運転を除く各運転（除湿運転、加湿運転及び調湿運転）の実行中に、通常制御部（102）による通常制御と特殊制御部（103）による特殊制御とを選択的に行って、調湿部（12）の能力（除湿能力や加湿能力）を制御する。
【０１１３】
まず、コントローラ（100）は、通常制御部（102）による通常制御で各運転を開始する。
【０１１４】
通常制御では、通常制御部（102）によって、室外空気（OA）の湿度の実測値（Ro）（外気湿度センサ（112）及び外気温度センサ（117）の検出値から得られる室外空気（OA）の絶対湿度（Ro））と、室内空気（RA）の湿度の実測値（Rr）（内気湿度センサ（111）及び内気温度センサ（116）の検出値から得られる室内空気（RA）の絶対湿度（Rr））と、複数の室内空間（R1〜R5）の空気の目標湿度（Rt）とに基づいて、調湿装置（10）の調湿部（12）において必要な調湿能力（除湿能力又は加湿能力）が演算され、調湿部（12）の能力が演算された調湿能力となるように調湿部（12）が制御される。具体的には、通常制御部（102）は、室内空気（RA）の湿度の実測値（Rr）を室内空間（R1〜R5）の空気の湿度とし、該室内空間（R1〜R5）の空気の湿度が、目標湿度（Rt）に近づくような圧縮機（31）の回転速度を演算し、圧縮機（31）の回転速度が演算された回転速度となるように圧縮機（31）のモータを制御する。
【０１１５】
その後、上述の浴室使用条件が成立すると、コントローラ（100）は、通常制御部（102）による通常制御から特殊制御部（103）による特殊制御に制御モードを変更する。具体的には、本実施形態では、コントローラ（100）は、給湯装置の電源スイッチのＯＮ信号が入力されると、浴室使用条件が成立したと判断し、制御モードを特殊制御に変更する。
【０１１６】
特殊制御では、特殊制御部（103）によって、室外空気（OA）の湿度の実測値（Ro）と、上記浴室使用条件の成立直前に通常制御部（102）が通常制御において演算に用いた室内空気（RA）の湿度の実測値（Rr-fp）と、複数の室内空間（R1〜R5）の空気の目標湿度（Rt）とに基づいて、調湿装置（10）の調湿部（12）において必要な調湿能力が演算され、調湿部（12）の能力が演算された調湿能力となるように調湿部（12）が制御される。具体的には、特殊制御部（103）は、上記浴室使用条件の成立直前に通常制御部（102）が通常制御において演算に用いた室内空気（RA）の湿度の実測値（Rr-fp）を室内空間（R1〜R5）の空気の湿度とし、該室内空間（R1〜R5）の空気の湿度が、目標湿度（Rt）に近づくような圧縮機（31）の回転速度を演算し、圧縮機（31）の回転速度が演算された回転速度となるように圧縮機（31）のモータを制御する。
【０１１７】
その後、上記浴室使用条件が成立しなくなると、コントローラ（100）は、特殊制御部（103）による特殊制御から通常制御部（102）による通常制御に制御モードを変更する。具体的には、本実施形態では、コントローラ（100）は、室内空気（RA）の湿度の実測値（Rr）が所定の通常湿度まで低下すると、上記浴室使用条件が成立しなくなったと判断し、制御モードを通常制御に変更する。
【０１１８】
このように、本実施形態では、調湿部（12）によって室外空気（OA）が除湿又は加湿される除湿運転、加湿運転及び調湿運転の各運転において、浴室（R5）が使用されているか否かに応じて、通常制御と特殊制御とで制御モードを切り換えることとした。具体的には、浴室（R5）が使用されて調湿装置（10）に取り込まれる室内空気（RA）の湿度の実測値（Rr）が、浴室（R5）以外の室内空間（R1〜R4）の実際の湿度よりも高くなる場合には、通常制御から特殊制御に切り換えることとした。特殊制御では、調湿部（12）の必要能力の演算に、室内空気（RA）の実測値ではなく、浴室（R5）以外の室内空間（R1〜R4）の空気の湿度に対応する所定湿度（Rr-f）（本実施形態では、浴室使用条件の成立直前に通常制御において演算に用いた室内空気（RA）の湿度の実測値（Rr-fp））が用いられる。そのため、浴室（R5）の使用中に、室内空気（RA）の湿度の実測値（Rr）が浴室（R5）以外の室内空間（R1〜R4）の空気の実際の湿度より高くなっても、室内空間（R1〜R5）の除湿中に、室内空気の湿度が目標湿度（Rt）に到達していないと誤判断されるおそれがなく、また、室内空間（R1〜R5）の加湿中に、室内空気の湿度が目標湿度（Rt）に到達したと誤判断されるおそれもない。
【０１１９】
−実施形態１の効果−
以上のように、本実施形態１によれば、浴室（R5）内の空気の湿度が他の室内空間（R1〜R5）の空気の湿度よりも著しく高くなる浴室（R5）の使用中に、調湿部（12）の必要能力の演算に、室内空気（RA）の湿度の実測値（Rr）ではなく、浴室（R5）以外の室内空間（R1〜R4）の空気の湿度に対応する所定湿度（Rr-f）を用いることとした。このように、浴室（R5）の使用中に、室内空気（RA）の湿度の実測値（Rr）が浴室（R5）以外の室内空間（R1〜R4）の空気の実際の湿度より高くなっても、室内空気（RA）の湿度の実測値（Rr）ではなく、浴室（R5）以外の室内空間（R1〜R4）の空気の湿度に対応する所定湿度（Rr-f）を用いて調湿部（12）の必要能力を演算するため、浴室（R5）以外の室内空間（R1〜R4）の調湿負荷（室内空気の湿度と目標湿度（Rt）との差）を正確に把握することができ、調湿部（12）の必要能力を正確に演算することができる。つまり、室内空間（R1〜R5）の除湿中に、浴室（R5）以外の室内空間（R1〜R4）の空気の湿度が目標湿度（Rt）まで低下しているにも拘わらず、浴室（R5）内の空気の湿度の急上昇によって、調湿部（12）の能力が十分でないと誤判断して調湿部（12）の能力を増大させることがない。また、室内空間（R1〜R5）の加湿中に、浴室（R5）以外の室内空間（R1〜R4）の空気の湿度が目標湿度（Rt）まで上昇していないにも拘わらず、浴室（R5）内の空気の湿度の急上昇によって、調湿部（12）の能力が十分であると誤判断して調湿部（12）の能力を低下させることもない。従って、本実施形態１によれば、浴室（R5）の使用中であっても、浴室（R5）以外の室内空間（R1〜R4）の空気の湿度を精度良く調節することができる。
【０１２０】
特に、本実施形態１では、浴室（R5）の使用中に、室内空気（RA）の湿度の実測値（Rr）の代わりに、浴室（R5）の使用を示す所定の条件の成立直前に通常制御において演算に用いた室内空気（RA）の湿度の実測値（Rr）を用いて調湿部（12）の必要能力を演算することとしている。浴室（R5）の使用により、浴室（R5）内の空気の湿度は急上昇しても、浴室（R5）以外の室内空間（R1〜R4）の空気の湿度は大きく変動しない。そのため、浴室（R5）の使用中に、浴室（R5）内の空気の湿度が急上昇する前の室内空気（RA）の湿度の実測値（Rr）を用いて調湿部（12）の必要能力を演算することにより、浴室（R5）内の空気の湿度が急上昇しても、調湿部（12）の必要能力を正確に演算することができる。
【０１２１】
《発明の実施形態２》
実施形態２は、実施形態１の調湿装置（10）において、特殊制御部（103）による特殊制御の内容を変更したものである。その他の構成及び動作は、実施形態１と同様である。
【０１２２】
具体的には、実施形態２においても、特殊制御部（103）は、浴室使用条件が成立する間、通常制御部（102）による通常制御の代わりに特殊制御を実行するように構成されている。また、本実施形態２では、特殊制御部（103）は、室外空気（OA）の湿度の実測値（Ro）と、浴室（R5）以外の室内空間（R1〜R4）の空気の湿度に対応する所定湿度（Rr-f）として予め設定された設定値（Rr-fs）と、複数の室内空間（R1〜R5）の空気の目標湿度（Rt）とに基づいて、調湿装置（10）の調湿部（12）において必要な調湿能力を演算し、調湿部（12）の能力が演算された調湿能力となるように調湿部（12）を制御する特殊制御を実行する。具体的には、特殊制御部（103）は、浴室（R5）以外の室内空間（R1〜R4）の空気の湿度に対応する所定湿度（Rr-f）として予め設定された設定値（Rr-fs）を室内空間（R1〜R5）の空気の湿度とし、該室内空間（R1〜R5）の空気の湿度が、目標湿度（Rt）に近づくような圧縮機（31）の回転速度を演算し、圧縮機（31）の回転速度が演算された回転速度となるように圧縮機（31）のモータを制御する。
【０１２３】
浴室（R5）以外の室内空気の湿度の変動範囲は、季節に応じて変動するものの、ある程度予測できる。そのため、浴室（R5）の使用中に、浴室（R5）以外の室内空間（R1〜R4）の空気の湿度に対応する所定湿度（Rr-f）として予め設定された設定値（Rr-fs）を用いて調湿部（12）の必要能力を演算することにより、浴室（R5）内の空気の湿度が急上昇しても、調湿部（12）の必要能力を正確に演算することができる。従って、実施形態２によっても、実施形態１と同様に、浴室（R5）の使用中であっても、浴室（R5）以外の室内空間（R1〜R4）の空気の湿度を精度良く調節することができる。
【０１２４】
なお、実施形態２において、特殊制御において、室内空気（RA）の湿度の実測値（Rr）の代わりに用いる設定値（Rr-fs）は、例えば、夏季と冬季とで異なるように設定してもよく、加湿動作と除湿動作とで異なるように設定してもよい。
【０１２５】
《発明の実施形態３》
実施形態３は、実施形態１の調湿装置（10）において、特殊制御部（103）による特殊制御の内容を変更したものである。その他の構成及び動作は、実施形態１と同様である。
【０１２６】
具体的には、実施形態３においても、特殊制御部（103）は、浴室使用条件が成立する間、通常制御部（102）による通常制御の代わりに特殊制御を実行するように構成されている。また、本実施形態３では、特殊制御部（103）は、室外空気（OA）の湿度の実測値（Ro）と、室内空気（RA）の湿度の実測値（Rr）を該実測値（Rr）よりも低くなるように補正した値（Rr-c）と、複数の室内空間（R1〜R5）の空気の目標湿度（Rt）とに基づいて、調湿装置（10）の調湿部（12）において必要な調湿能力を演算し、調湿部（12）の能力が演算された調湿能力となるように調湿部（12）を制御する特殊制御を実行する。具体的には、特殊制御部（103）は、室内空気（RA）の湿度の実測値（Rr）を該実測値（Rr）よりも低くなるように補正した値（Rr-c）を室内空間（R1〜R5）の空気の湿度とし、該室内空間（R1〜R5）の空気の湿度が、目標湿度（Rt）に近づくような圧縮機（31）の回転速度を演算し、圧縮機（31）の回転速度が演算された回転速度となるように圧縮機（31）のモータを制御する。
【０１２７】
ここで、上記補正は、例えば、室内空気（RA）の湿度の実測値（Rr）から所定値だけ減じることとする。具体的には、浴室（R5）からの空気の換気比率、即ち、全体の換気量に占める浴室（R5）からの換気量の体積比率から、浴室（R5）の使用による室内空気（RA）の湿度の上昇分を予測し、該上昇分だけ室内空気（RA）の湿度の実測値（Rr）から減じる補正を行う。
【０１２８】
このように、実施形態３によれば、浴室（R5）の使用中に、室内空気（RA）の湿度の実測値（Rr）が浴室（R5）以外の室内空間（R1〜R4）の空気の実際の湿度より高くなっても、室内空気（RA）の湿度の実測値（Rr）ではなく、室内空気（RA）の湿度の実測値（Rr）を該実測値よりも低くなるように補正した値（Rr-c）を用いて調湿部（12）の必要能力を演算するため、浴室（R5）以外の室内空間（R1〜R4）の調湿負荷（室内空気の湿度と目標湿度（Rt）との差）を正確に把握することができ、調湿部（12）の必要能力を正確に演算することができる。従って、実施形態３によっても、実施形態１と同様に、浴室（R5）の使用中であっても、浴室（R5）以外の室内空間（R1〜R4）の空気の湿度を精度良く調節することができる。
【０１２９】
なお、上記補正は、例えば、室内空気（RA）の湿度の実測値（Rr）の８０％のように、室内空気（RA）の湿度の実測値（Rr）に所定比率を乗じることとしてもよい。具体的には、浴室（R5）からの空気の換気比率、即ち、全体の換気量に占める浴室（R5）からの換気量の体積比率から、浴室（R5）の使用による室内空気（RA）の湿度の上昇比率を予測し、該上昇比率分を除いた所定比率を室内空気（RA）の湿度の実測値（Rr）に乗じる補正を行ってもよい。
【０１３０】
《発明の実施形態４》
実施形態４は、実施形態１の調湿装置（10）において、特殊制御部（103）による特殊制御の内容を変更したものである。その他の構成及び動作は、実施形態１と同様である。
【０１３１】
具体的には、実施形態４においても、特殊制御部（103）は、浴室使用条件が成立する間、通常制御部（102）による通常制御の代わりに特殊制御を実行するように構成されている。また、本実施形態４では、特殊制御部（103）は、調湿部（12）の必要能力を演算することなく、上記浴室使用条件の成立直前に通常制御において演算された必要能力を目標の調湿能力とし、調湿部（12）の能力が目標の調湿能力となるように調湿部（12）を制御する特殊制御を実行する。具体的には、特殊制御部（103）は、上記浴室使用条件の成立直前に通常制御において演算された圧縮機（31）の回転速度を目標の回転速度とし、圧縮機（31）の回転速度が目標の回転速度となるように圧縮機（31）のモータを制御する。
【０１３２】
このように、浴室（R5）の使用中に、新たに調湿部（12）の必要能力を演算することなく、浴室（R5）内の空気の湿度が急上昇する前の調湿部（12）の必要能力の演算結果を用いて調湿部（12）の能力を制御することにより、室内空気（RA）の湿度の実測値（Rr）が浴室（R5）以外の室内空間（R1〜R4）の空気の実際の湿度より高くなっても、調湿部（12）の能力を調湿負荷に応じて精度良く調節することができる。つまり、室内空間（R1〜R5）の除湿中に、浴室（R5）以外の室内空間（R1〜R4）の空気の湿度が目標湿度（Rt）まで低下しているにも拘わらず、浴室（R5）内の空気の湿度の急上昇によって、調湿部（12）の能力が十分でないと誤判断して調湿部（12）の能力を増大させることがない。また、室内空間（R1〜R5）の加湿中に、浴室（R5）以外の室内空間（R1〜R4）の空気の湿度が目標湿度（Rt）まで上昇していないにも拘わらず、浴室（R5）内の空気の湿度の急上昇によって、調湿部（12）の能力が十分であると誤判断して調湿部（12）の能力を低下させることもない。従って、実施形態４によっても、浴室（R5）の使用中であっても、浴室（R5）以外の室内空間（R1〜R4）の空気の湿度を精度良く調節することができる。
【０１３３】
《その他の実施形態》
上記各実施形態では、コントローラ（100）は、給湯装置の電源スイッチのＯＮ信号が入力されることによって浴室使用条件が成立したと判断して特殊制御を開始するように構成されていた。しかしながら、コントローラ（100）の構成は、上記各実施形態のものに限らない。例えば、コントローラ（100）は、浴室の使用中に接続される給湯装置の電源スイッチ以外のスイッチのＯＮ信号が入力されることによって浴室使用条件が成立したと判断して特殊制御を開始するように構成されていてもよい。また、コントローラ（100）は、所定時間毎に検出した室内空気（RA）の湿度の実測値（Rr）を記憶し、該実測値（Rr）が急激に上昇した場合に、浴室使用条件が成立したと判断して通常制御を終了して特殊制御を開始するように構成されていてもよい。
【０１３４】
また、上記各実施形態では、コントローラ（100）は、内気湿度センサ（111）及び内気温度センサ（116）の検出値から得られる室内空気（RA）の湿度の実測値（Rr）が、所定の通常湿度まで低下すると、浴室使用条件が成立しなくなったと判断して特殊制御を終了して通常制御を開始するように構成されていた。しかしながら、コントローラ（100）の構成は、上記各実施形態のものに限らない。例えば、コントローラ（100）は、浴室の使用中に接続されるスイッチのＯＮ信号が入力されなくなることによって、浴室使用条件が成立しなくなったと判断して特殊制御を終了して通常制御を開始するように構成されていてもよい。
【０１３５】
また、上記各実施形態では、コントローラ（100）は、通常制御を実行する通常制御部（102）と特殊制御を実行する特殊制御部（103）とを有していた。しかしながら、コントローラ（100）の構成は、通常制御と特殊制御とを実行可能に構成されていれば、上述の構成に限られない。
【０１３６】
なお、以上の実施形態は、本質的に好ましい例示であって、本発明、その適用物、あるいはその用途の範囲を制限することを意図するものではない。
【産業上の利用可能性】
【０１３７】
以上説明したように、本発明は、調湿装置について有用である。
【符号の説明】
【０１３８】
１０      調湿装置
１２      調湿部
３０      冷媒回路
３１      圧縮機
３２      四方切換弁（切換機構）
３３ａ    第１吸着熱交換器
３３ｂ    第２吸着熱交換器
３７      主膨張弁（膨張機構）
３８      レヒート側膨張弁（膨張機構）
７１      第１流路切換機構
７２      第２流路切換機構
１００      コントローラ（制御部）
【図１】
0005954387.tif 000002
【図２】
0005954387.tif 000003
【図３】
0005954387.tif 000004
【図４】
0005954387.tif 000005
【図５】
0005954387.tif 000006
【図６】
0005954387.tif 000007
【図７】
0005954387.tif 000008
【図８】
0005954387.tif 000009
【図９】
0005954387.tif 000010
【図１０】
0005954387.tif 000011